【手続補正書】
【提出日】平成18年8月2日(2006.8.2)
【手続補正１】
【補正対象書類名】明細書
【補正対象項目名】全文
【補正方法】変更
【補正の内容】
【書類名】  明細書
【発明の名称】抗菌防虫性粘着テープ、タックシールと両面テープ及び抗菌性粘着テープ、タックシールと両面テープ
【特許請求の範囲】
【請求項１】  ヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌、防虫成分からなる有機質抗菌防虫剤と、銀ゼオライト、抗菌セラミック、チアベンダゾール、硅酸マグネシウム五水和物、および光触媒酸化酸化チタン等である無機質抗菌防カビ剤と、アクリル系またはゴム系エマルジョン型粘着剤との３者を混合した混合抗菌防虫防カビ粘着剤を基材１の一つの面に塗布して混合抗菌防虫防カビ粘着層２を形成し、基材１の他の面にはポリエチレンラミネート層３と離型層４とをその順に設けたことを特徴とする抗菌防虫性粘着テープ。
【請求項２】  ヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌、防虫成分からなる有機質抗菌防虫剤と、アクリル系またはゴム系エマルジョン型粘着剤との両者を混合した有機質抗菌防虫粘着剤を基材１の一つの面に塗布して有機質抗菌防虫粘着層２′を形成し、基材１の他の面にはポリエチレンラミネート層３と離型層４とをその順に設けたことを特徴とする抗菌防虫性粘着テープ。
【請求項３】  銀ゼオライト、抗菌セラミック、チアベンダゾール、硅酸マグネシウム五水和物、および光触媒酸化チタン等である無機質抗菌防カビ剤と、アクリル系またはゴム系エマルジョン型粘着剤との両者を混合した無機質抗菌防カビ粘着剤を、基材１の一つの面に塗布して無機質抗菌防カビ粘着層２″を形成し、基材１の他の面にはポリエチレンラミネート層３と離型層４とをその順に設けたことを特徴とする抗菌性粘着テープ。
【請求項４】  ヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌防虫成分からなる有機質抗菌防虫剤と、銀ゼオライト、抗菌セラミック、チアベンダゾール、硅酸マグネシウム五水和物、および光触媒酸化チタン等である無機質抗菌防カビ剤と、アクリル系またはゴム系エマルジョン型粘着剤との３者を混合した混合抗菌防虫防カビ粘着剤を基材１の一つの面に塗布して混合抗菌防虫防カビ粘着層２を形成し、この混合抗菌防虫防カビ粘着層２に重ねて剥離紙または剥離フィルム５を設けたことを特徴とする抗菌防虫性タックシール。
【請求項５】  銀ゼオライト、抗菌セラミック、チアベンダゾール、硅酸マグネシウム五水和物、および光触媒酸化チタン等である無機質抗菌防カビ剤と、アクリル系またはゴム系エマルジョン型粘着剤との両者を混合した無機質抗菌防カビ粘着剤を基材１の一つの面に塗布して無機質抗菌防カビ粘着層２″を形成したことを特徴とする抗菌性タックシール。
【請求項６】  ヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌防虫成分からなる有機質抗菌防虫剤と、銀ゼオライト、抗菌セラミック、チアベンダゾール、硅酸マグネシウム五水和物、および光触媒酸化チタン等である無機質抗菌防カビ剤と、アクリル系ソルベント型粘着剤との３者を混合した混合抗菌防虫防カビ粘着剤を、基材１の両面に塗布して、混合抗菌防虫防カビ粘着層２を形成し、この混合抗菌防虫防カビ粘着層２の上に、剥離紙または剥離フィルム５を設けたことを特徴とする抗菌防虫性両面テープ。
【請求項７】  ヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌防虫成分からなる有機質抗菌防虫剤とアクリル系ソルベント型粘着剤との両者を混合した有機質抗菌防虫剤を基材の両面に塗布して有機質抗菌防虫粘着層２′を形成し、この有機質抗菌防虫粘着層２′の上に、剥離紙または剥離フィルム５を設けたことを特徴とする抗菌防虫性両面テープ。
【請求項８】  銀ゼオライト、抗菌セラミック、チアベンダゾール、硅酸マグネシウム五水和物、および光触媒酸化チタン等である無機質抗菌防カビ剤と、アクリル系ソルベント型粘着剤との両者を混合した無機質抗菌防カビ粘着剤を、基材１の両面に塗布して無機質抗菌防カビ粘着層２″を形成し、この無機質抗菌防カビ粘着層２″の上に、剥離紙または剥離フィルム５を設けたことを特徴とする抗菌性両面テープ。
【発明の詳細な説明】
【０００１】
【発明の属する技術分野】
この発明は抗菌防虫性と、抗菌性のみが付与された粘着テープ、タックシール、及び両面テープに関する。
【０００２】
【従来の技術】
粘着テープ、タックシールと両面テープは、紙、布、フィルム等の基材の一面または両面に粘着剤の層と、この粘着剤の層の上面に離型層が設けられたものであるが、従来のこれらにあっては、粘着剤の層や離型剤の層のいずれにも、抗菌や防虫に対する配慮は全くなされていなかった。
【０００３】
【発明が解決しようとする課題】
このように従来の粘着テープ、タックシールや両面テープには、いずれも抗菌性や防虫性に関する配慮が全くなされていないことから、新しい段ボール箱やプラスチックケース等に新品の衣料や新鮮な食品を入れた時でも、大きな塵埃や害虫等の侵入は阻止できても、有害菌や微細な害虫の侵入は阻止できないものであった。これらの点に鑑み、この発明は、これら粘着テープ、タックシールや両面テープの使用箇所はもちろん、使用箇所の近辺にあっても有害菌や害虫の侵入を阻止することができ、内容物の安全が計られる粘着テープ、粘着シートや両面テープを提供することを課題とする。
【０００４】
【課題を解決するための手段】
前記した課題を達するためこの発明は、ヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌、防虫成分からなる有機質抗菌防虫剤と、銀ゼオライト、抗菌セラミック、チアベンダゾール、硅酸マグネシウム五水和物、および光触媒酸化チタン等である無機質抗菌防カビ剤と、アクリル系またはゴム系エマルジョン型粘着剤との３者を混合した混合抗菌防虫防カビ粘着剤を基材１の一つの面に塗布して混合抗菌防虫防カビ粘着層２を形成し、基材１の他の面にはポリエチレンラミネート層３と離型層４とをその順に設けた抗菌防虫性粘着テープとしたものである。
【０００５】
またこの発明はヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌、防虫成分からなる有機質抗菌防虫剤と、アクリル系またはゴム系エマルジョン型粘着剤との両者を混合した有機質抗菌防虫粘着剤を基材１の一つの面に塗布して有機質抗菌防虫粘着層２′を形成し、基材１の他の面にはポリエチレンラミネート層３と離型層４とをその順に設けた抗菌防虫性粘着テープとしたものである。
【０００６】
さらにこの発明は、銀ゼオライト、抗菌セラミック、チアベンダゾール、硅酸マグネシウム五水和物、および光触媒酸化チタン等である無機質抗菌防カビ剤と、アクリル系またはゴム系エマルジョン型粘着剤との両者を混合した無機質抗菌防カビ粘着剤を、基材１の一つの面に塗布して無機質抗菌防カビ粘着層２″を形成し、基材１の他の面にはポリエチレンラミネート層３と離型層４とをその順に設けた抗菌性粘着テープとしたものである。
【０００７】
またこの発明はヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌防虫成分からなる有機質抗菌防虫剤と、銀ゼオライト、抗菌セラミック、チアベンダゾール、硅酸マグネシウム五水和物、および光触媒酸化チタン等である無機質抗菌防カビ剤と、アクリル系またはゴム系エマルジョン型粘着剤との３者を混合した混合抗菌防虫防カビ粘着剤を基材１の一つの面に塗布して混合抗菌防虫防カビ粘着層２を形成し、この混合抗菌防虫防カビ粘着層２に重ねて剥離紙または剥離フィルム５を設けた抗菌防虫性タックシールとしたものである。
【０００８】
またこの発明は銀ゼオライト、抗菌セラミック、チアベンダゾール、硅酸マグネシウム五水和物および光触媒酸化チタン等である無機質抗菌防カビ剤と、アクリル系またはゴム系エマルジョン型粘着剤との両者を混合した無機質抗菌防カビ粘着材を基材１の一つの面に塗布して無機質抗菌防カビ粘着層２″を形成し、この無機質抗菌防カビ粘着層２″に重ねて剥離紙または剥離フィルム５を設けた抗菌性タックシールとしたものである。
【０００９】
またこの発明はヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌、防虫成分からなる有機質抗菌防虫剤と、銀ゼオライト、抗菌セラミック、チアベンダゾール、硅酸マグネシウム五水和物、および光触媒酸化チタン等である無機質抗菌防カビ剤と、アクリル系ソルベント型粘着剤との３者を混合した混合抗菌防虫防カビ粘着剤を、基材１の両面に塗布して、混合抗菌防虫防カビ粘着層２を形成し、この混合抗菌防虫防カビ粘着層２の上に、剥離紙または剥離フィルム５を設けた抗菌防虫性両面テープとしたものである。
【００１０】
またこの発明は、ヒノキチオール、ワサビ、カラシ、ハッカ、ニンニク等の抗菌防虫成分、カテキン、キトサン等の抗菌成分、柑橘類等から抽出された抗菌成分のうちの１種または複数種類の抗菌防虫成分からなる有機質抗菌防虫剤とアクリル系ソルベント型粘着剤との両者を混合した有機質抗菌防虫剤を基材の両面に塗布して有機質抗菌防虫粘着層２′を形成し、この有機質抗菌防虫粘着層２′の上に、剥離紙または剥離フィルム５を設けた抗菌防虫性両面テープとしたものである。
【００１１】
またこの発明は銀ゼオライト、抗菌セラミック、チアベンダゾール、硅酸マグネシウム五水和物、および光触媒酸化チタン等である無機質抗菌防カビ剤と、アクリル系ソルベント型粘着剤との両者を混合した無機質抗菌防カビ粘着剤を、基材１の両面に塗布して無機質抗菌防カビ粘着層２″を形成し、この無機質抗菌防カビ粘着層２″の上に、剥離紙または剥離フィルム５を設けた抗菌性両面テープとしたものである。
【００１２】
これらの発明にあっては有機質抗菌防虫剤や無機質抗菌防カビ剤は多孔質マイクロカプセルに充填されたものを用いることが好ましい。
【００１３】
これらの発明にあっては基材１としてはクラフト紙、アート紙、ミラコート紙、合成紙、和紙、不織布、天然繊維、合成繊維または化学繊維からなる織布、ポリエチレン、ポリプロピレン、ナイロン、ポリエステルの単体フィルムあるいはこれらをラミネートした複合フィルム、アルミニウムからなるフィルム、ポリエチレン、ポリウレタン、エーテル系、エステル系等からなる発泡シート等が用いられる。
【００１４】
これらの発明にあっては抗菌防虫成分のうちヒノキチオール、ワサビ、カラシ、ハッカ、ニンニク等を用いた時にはコクゾウムシ類、チヤタテムシ類、ゴキブリ類、アリ類白アリ類、ダニ類等に効果を奏する。
また抗菌成分は黄色ブドウ球菌、連鎖球菌、大腸菌、サルモネラ菌、緑膿菌、肺炎棹菌、麹菌、酵母菌、枯草菌、ウエルシュ菌、プロテウス菌、フリージア由来菌、イチゴ由来菌等に効果を奏する。
【００１５】
【発明の実施の形態】
図１はこの発明になる抗菌防虫性粘着テープの実施の一例を示す縦断正面図、図２および図３はそれぞれ、この発明になる抗菌防虫性タックシールの他の実施の一例を示す縦断正面図、図４はこの発明になる抗菌防虫性タックシールの実施の一例を示す縦断正面図、図５および図６はそれぞれこの発明になる抗菌防虫性タックシールの他の実施の一例を示す縦断正面図、図７はこの発明になる抗菌防虫性両面テープの実施の一例を示す縦断正面図、図８および図９はそれぞれこの発明になる抗菌防虫性両面テープの他の実施の一例を示す縦断正面図である。
【００１６】
［実施例１］
有機質抗菌防虫剤としてのヒノキチオールを充填した無定形シリカからなる多孔質マイクロカプセルと、無機質抗菌防カビ剤としてのチアベンダゾールと硅酸マグネシウム五水和物との混合物との両者を、乳化剤とアクリル系エマルジョン型粘着剤に分散させた混合抗菌防虫防カビ剤を基材である５０ｇ／ｍ２のクラフト紙の一つの面に塗布して混合抗菌防虫防カビ粘着層２を形成した。
基材１の他の面には１５μの厚さのポリエチレン樹脂のラミネート層３を設け、さらにこのポリエチレンラミネート層３の上にシリコーン樹脂を０．５μの厚さに塗布して離型層４を形成して図１に示す粘着テープを得た。
なお、混合抗菌防虫防カビ粘着層２は、基材１に混合抗菌防虫防カビ粘着剤を塗布して、８０℃の雰囲気中を１３０ｍ／分の速度で４．１秒通過させて乾燥し形成した。この粘着テープにおいては、アクリル系４０〜５０％エマルジョン５０ｇ／ｍ２粘着剤中には有機質抗菌防虫剤を３ｇ／ｍ２混入して抗菌防虫粘着剤５３ｇ／ｍ２とした。
また基材であるクラフト紙に形成された各成分の固着量はヒノキチオールが０．０５ｇ／ｍ２植物性抽出液ＡＰ−２０Ｌが０．０２ｇ／ｍ２であった。
【００１７】
［実施例２］
ワサビおよびハッカからの抽出成分を、無定形シリカからなる多孔質マイクロカプセルに充填した有機質抗菌防虫剤を、乳化剤とアクリル系エマルジョン型粘着剤に分散させた有機質抗菌防虫剤を、基材１である５０ｇ／ｍ２のクラフト紙の一つの面に塗布して有機質抗菌防虫粘着層２′を形成し、基材１の他の面には１５μの厚さのポリエチレン樹脂のラミネート層３を設け、さらにこのポリエチレンラミネート層３の上にシリコン樹脂を０．５μの厚さに塗布して離型層４を形成して図２に示す粘着テープを得た。
【００１８】
［実施例３］
チアベンダゾール、銀ゼオライト、抗菌セラミックと硅酸マグネシウム五水和物との混合物を、無定形シリカからなる多孔質マイクロカプセルに充填した無機質抗菌防カビ剤を、乳化剤とアクリル系エマルジョン型粘着剤に分散させた無機質抗菌防カビ粘着剤を、基材１である５０ｇ／ｍ２のクラフト紙の一つの面に塗布して無機質抗菌防カビ粘着層２″を形成し、基材１の他の面には１５μの厚さのポリエチレン樹脂のラミネート層３を設け、さらにこのポリエチレンラミネート層３の上にシリコン樹脂を０．５μの厚さに塗布して離型層４を形成して図３に示す粘着テープを得た。
【００１９】
［実施例４］
有機質抗菌防虫剤としてのヒノキチオールを封入した無定形シリカからなる多孔質マイクロカプセルと、無機質抗菌防カビ剤としてのチアベンダゾールと硅酸マグネシウム五水和物の混合物との両者を乳化剤とアクリル系エマルジョン型粘着剤の分散させた混合抗菌防虫防カビ剤を、基材１である６０ｇ／ｍ２の上質紙の一つの面に塗布して混合抗菌防虫防カビ粘着層２とし、さらにこの混合抗菌防虫防カビ粘着層２の面にシリコーン樹脂を０．５μの厚さに塗布した５５ｇ／ｍ２の上質紙からなる剥離紙５を添合して図４に示すタックシールを得た。
【００２０】
［実施例５］
ワサビおよびハッカからの抽出成分を無定形シリカからなる多孔質マイクロカプセルに充填した有機質抗菌防虫剤を、乳化剤とアクリル系エマルジョン型粘着剤に分散させた有機質抗菌防虫粘着剤を基材１である６０ｇ／ｍ２の上質紙の一つの面に塗布して有機質抗菌防虫粘着層２′とし、さらにこの有機質抗菌防虫粘着層２′の面に、シリコーン樹脂を０．５μの厚さに塗布した５５ｇ／ｍ２の上質紙からなる剥離紙５を添合して図５に示すタックシールを得た。
【００２１】
［実施例６］
チアベンダゾールと硅酸マグネシウム五水和物との混合物を、無定形シリカからなる多孔質マイクロカプセルに充填した無機質抗菌防カビ剤を、アクリル系ソルベント型粘着剤に分散させた無機質抗菌防カビ粘着剤を、基材１である６０ｇ／ｍ２、厚さ５０μのアルミ蒸着フィルムの一つの面に塗布して無機質抗菌防カビ粘着層２″とし、さらにこの無機質抗菌防カビ粘着層２″の面に、シリコーン樹脂を０．５μの厚さに塗布した５５ｇ／ｍ２の上質紙からなる剥離紙５を添合して図６に示すタックシールを得た。
【００２２】
［実施例７］
有機質抗菌防虫剤としてのヒノキチオールを充填した無定形シリカからなる多孔質マイクロカプセルと、無機質抗菌防カビ剤としてのチアベンダゾールと硅酸マグネシウム五水和物との混合物との両者を、アクリル系ソルベント型粘着剤に分散させた混合抗菌防虫防カビ剤を、基材１である厚さ２ｍｍのポリウレタンフォームの両面に塗布して混合抗菌防虫防カビ粘着層２とし、さらにこの混合抗菌防虫防カビ粘着層２の面に、シリコーン樹脂を０．５μの厚さに塗布した５５ｇ／ｍ２の上質紙からなる剥離紙５を添合して図７に示す両面テープを得た。
【００２３】
［実施例８］
ワサビおよびハッカからの抽出成分を無定形シリカからなる多孔質マイクロカプセルに充填した有機質抗菌防虫剤を、アクリル系ソルベント型粘着剤に分散させた有機質抗菌防虫粘着剤を、基材１である厚さ２ｍｍのポリウレタンフォームの両面に塗布して有機質抗菌防虫粘着層２′とし、さらに、この有機質抗菌防虫粘着層２′の面に、シリコーン樹脂を０．５μの厚さに塗布した５５ｇ／ｍ２の上質紙からなる剥離紙５を添合して図８に示す両面テープを得た。
【００２４】
［実施例９］
チアベンダゾールと硅酸マグネシウム五水和物との混合物を無定形シリカからなる多孔質マイクロカプセルに充填した無機質抗菌防カビ剤を、アクリル系ソルベント型粘着剤に分散させた無機質抗菌防カビ粘着剤を、基材１である厚さ２ｍｍのポリウレタンフォームの両面に塗布して無機質抗菌防カビ粘着層２″とし、さらに、この無機質抗菌防カビ粘着層２″の面にシリコーン樹脂を０．５μの厚さに塗布した５５ｇ／ｍ２の上質紙からなる剥離紙５を添合して図９に示す両面テープを得た。
【００２５】
抗菌防虫処理を施したダンボール箱に、野菜を収納し、前記実施例１，２，３によって得られた粘着テープによってダンボール箱を封緘し、数日後、開封したが、抗菌防虫、防カビ効果については信頼できるものであった。
【００２６】
抗菌、防虫、防カビについては未処理である紙袋とプラスチックフィルム袋に、それぞれ野菜を入れ、袋の開封部を折畳み、前記実施例４，５，６によって得られたタックシールによって封緘し、数日後、開封したが抗菌、防虫、防カビ効果は極めて優れたものであった。
【００２７】
実施例７，８，９によって得られた両面テープを壁材に貼り、この上に断熱材を貼った。これによる抗菌、防虫、防カビ効果は大きいものであった。
【００２８】
【発明の効果】
この発明になる粘着テープ、タックシールと両面テープは、それぞれ、混合抗菌防虫防カビ粘着層、有機質抗菌防虫粘着層、無機質抗菌防カビ粘着層に含有された有機質抗菌防虫剤と無機質抗菌防カビ材が揮散して効果を奏するが、そのうち、混合抗菌防虫防カビ粘着層からは揮散性に優れた有機質抗菌防虫剤による抗菌防虫効果と、持続性に優れた無機質抗菌防カビ剤による抗菌防カビ効果との相乗効果により、例えば抗菌防虫、防カビ処理が施されていない段ボールのような容器に青果物、野菜、食品、衣料等を収納した時にも、容器を粘着テープによって封緘した時には、長期間にわたって抗菌、防虫、防カビ効果を奏し得るものとなった。
また粘着テープの有機質抗菌防虫粘着層からは揮散性に優れた有機質抗菌防虫剤による抗菌防虫効果が著しく、さらに粘着テープの無機質抗菌防カビ粘着層からは、持続性に優れた無機質抗菌防カビ剤による抗菌防カビ効果が著しいので、容器に収納する品物の種類と保管期間の長短等によって、これらの内から最適の粘着テープを選択することが可能となったもので、これらの効果はタックシール、両面テープについても同様であり、さらに有機質抗菌防虫剤の成分と無機質抗菌防カビ剤の成分はいずれも食品添加物であることから、プラスチック容器等の食品包装の封緘、野菜の結束用、表示用等として用いることができ、特に無機質抗菌防カビ剤は耐熱性に優れているため、耐熱容器の封緘や表示用としても用いることができ、さらに両面テープは、建築用、例えば防音材や緩衝材、断熱剤等の貼付用に用いることにより壁面の裏側の資材の抗菌、防カビ効果を奏するものとなった。
【図面の簡単な説明】
【図１】  この発明になる抗菌防虫性粘着テープの実施の一例を示す縦断正面図。
【図２】  この発明になる抗菌防虫性粘着テープの他の実施の一例を示す縦断正面図。
【図３】  この発明になる抗菌防虫性粘着テープの他の実施の一例を示す縦断正面図。
【図４】  この発明になる抗菌防虫性タックシールの実施の一例を示す縦断正面図。
【図５】  この発明になる抗菌防虫性タックシールの他の実施の一例を示す縦断正面図。
【図６】  この発明になる抗菌防虫性タックシールの他の実施の一例を示す縦断正面図。
【図７】  この発明になる抗菌防虫性両面テープの実施の一例を示す縦断正面図。
【図８】  この発明になる抗菌防虫性両面テープの他の実施の一例を示す縦断正面図。
【図９】  この発明になる抗菌防虫性両面テープの他の実施の一例を示す縦断正面図。
【符号の説明】
１  基材
２  混合抗菌防虫防カビ粘着層
２′  有機質抗菌防虫粘着層
２″  無機質抗菌防カビ粘着層
３  ポリエチレンラミネート層
４  離型層
５  剥離紙・剥離フィルム